(57)【要約】【課題】ケーブル類の磨耗等を防止し、ケーブル類の長寿命化を容易に図れる信頼性の高いケーブル保持体を提供する。【解決手段】ケーブル保持体１は、ケーブル類２を収容する空間１０ａを有し屈曲自在な収容体５を備えるケーブル保持体において、この空間１０ａには、少なくとも収容体５の屈曲方向両端に回転可能な回転体２０が設けられている。【選択図】図２
2014145399.tif 000002
【特許請求の範囲】
【請求項１】
ケーブル類を収容する空間を有し屈曲自在な収容体を備えるケーブル保持体において、
前記空間には、
少なくとも収容体内面の屈曲方向両端に回転可能な回転体が設けられていることを特徴とするケーブル保持体。
【請求項２】
前記収容体は、
前記ケーブル類を収容する空間を有する複数のケースが関節部を介して屈曲可能に連結されていることを特徴とする請求項１に記載のケーブル保持体。
【発明の詳細な説明】
【技術分野】
【０００１】
本発明は、電力や信号を伝達するためのケーブルや気体や液体を供給するための配管類を保持するケーブル保持体に関する。
【背景技術】
【０００２】
従来から、ケーブルを保護しつつガイドするケーブル保持体が知られている（特許文献１参照）。また、一般に、複数の枠形状のケースをピンやリンク等で互いに回転自在に鎖状に連結して構成されるケーブル保持体が知られている。
【０００３】
この種のケーブル保持体のケース内には、ケーブルや配管等のケーブル類が収容されており、このケーブル類は、可動体として機能する作業ユニットと接続されている。そして、この作業ユニットの移動により、ケーブル類の移動に追従して、ケースが所定の屈曲半径で屈曲することでケーブル類の捩れや他の部材との接触等による損傷の発生を防止している。
【先行技術文献】
【特許文献】
【０００４】
【特許文献１】特開平３−１２２６０３号公報
【発明の概要】
【発明が解決しようとする課題】
【０００５】
しかしながら、この種のケーブル保持体は、ケースの屈曲によってケーブル類がケース内面と接触することでケーブル類の断線、ダストの発生が原因の遺物付着による歩留まりの低下を招いていた。
【０００６】
本発明は、このような問題の解消を一つの課題とし、その目的の一例は、ケーブル類の磨耗等を防止し、ケーブル類の長寿命化を容易に図れる信頼性の高いケーブル保持体を提供するものである。
【課題を解決するための手段】
【０００７】
上記課題を解決するため、請求項１に記載のケーブル保持体（１）は、ケーブル類（２）を収容する空間（１０ａ）を有し屈曲自在な収容体（５）を備えるケーブル保持体において、前記空間には、少なくとも前記収容体内面の屈曲方向両端に回転可能な回転体（２０）が設けられていることを特徴とする。
【０００８】
また、請求項２に記載のケーブル保持体は、請求項１に記載のケーブル保持体において、前記収容体は、前記ケーブル類を収容する空間を有する複数のケース（１０）が関節部（１５）を介して屈曲可能に連結されていることを特徴とする。
【発明の効果】
【０００９】
ケーブル類の磨耗を防止することで長寿命化を容易に図れる。
【図面の簡単な説明】
【００１０】
【図１】本実施形態のケーブル保持体の外観を示す模式図であって、図１（ａ）は斜視図、図１（ｂ）は平面図である。
【図２】ケーブル保持体の屈曲状態を示す模式図である。
【図３】図１のＡ−Ａ断面を示す模式図である。
【図４】他のケーブル保持体の断面を示す模式図である。
【発明を実施するための形態】
【００１１】
以下、図面を参照して本発明の実施形態について説明する。
【００１２】
本実施形態のケーブル保持体１は、図１及び図２に示すように、屈曲自在な収容体５を備え、例えば、産業用機械の可動体として機能する作業用ユニットと接続されるケーブルや配管（以下、「ケーブル類２」」と称する。）をこの収容体５に収容することで作業用ユニットと接続されるケーブル類２を保護する。また、このケーブル保持体１は、作業用ユニットの移動に追随して移動するケーブル類２が他の構成部材との接触や捩れ等により損傷を受けることを防ぐために設けられる。
【００１３】
なお、このケーブル類２とは、例えば、長尺の導体が絶縁体と保護皮膜で覆われた電源ケーブルの他、信号を伝達するケーブルや気体や液体を供給する配管類である。
【００１４】
この収容体５は、例えば、内部にケーブル類２を収容するための空間１０ａを有する多数のケース１０が関節部１５（連結部分）を介して互いに回動自在に鎖状に連結されており、このケース１０の空間１０ａには、単数または複数のケーブル類２がまとめて収容される。
【００１５】
ここで、ケーブル保持体１は、図２に示すように、ケース１０同士が連結されている関節部１５が屈曲しながら、作業用ユニットの移動に追随するものの、その屈曲部分において、収容体５の内壁と接触することでケーブル類２が磨耗（劣化）したり、ケーブルの皮膜が削れてダストを生じたりして低寿命化を招く要因となっていた。
【００１６】
本実施形態のケーブル保持体１は、図３に示すように、収容体５の内面上下（屈曲方向両端）に、その収容体５の長さ方向に回転する回転体２０を設け、ケーブル類２をこの回転体２０によって挟持されるように配置することで、収容体５の内面とのケーブル類２の接触を防止し、ケーブル類２の磨耗（劣化）による低寿命化を防止する。
【００１７】
以下、ケーブル保持体１の具体的な実施形態について説明する。
【００１８】
ケーブル保持体１は、図１に示すように、多数個の枠形状に形成された金属製のケース１０を互いに回転自在に長鎖状に連結して形成される。ケース１０は、図３に示すように、底面１１と、この底面１１の左右に立設された側片１２ａ、１２ｂと、一方の側片１２ａに例えばヒンジ５０を介して回動可能に連結され、他方の側片１２ｂとの間で連結可能に設けられた連結片１３と、を備えている。
【００１９】
連結片１３は、ケーブル類２をケース１０内に収容するためにケース１０の上部を開くものであって、ケース１０内にケーブル類２が収容された後は、他方の側片１２ｂに係止され連結される。
【００２０】
図１に示すように、側片１２ａ、１２ｂの前端部は、例えば、略半円状の突起部１６を有し、側片１２ａ、１２ｂの後端部は、略半円状の凹部１７を有し、この突起部１６と凹部１７には、それぞれ貫通孔１６ａ、１７ａが形成されている。この貫通孔１６ａ、１７ａには、ピン１８で連結体１９と連結され、隣接する他のケース１０と連結される。この貫通孔１６ａ、１７ａ、ピン１８、及び連結体１９は、関節部１５として機能し、２つのケース１０、１０同士を連結するとともに、この関節部１５において、一方のケース１０に対して他方のケース１０を上下方向に回動可能となっている。そして、収容体５は、連続して直列状に配置された多数のケース１０、１０をこの関節部１５で屈曲自在となっている。
【００２１】
なお、ケース１０の材質は、金属製に限られるものではなく、所定の剛性を有していればよく、例えば合成樹脂等により形成されてもかまわない。
【００２２】
また、ケース１０は内部にケーブル類２を収納する収納部として機能する空間１０ａを有する。図３に示すように、この空間１０ａは高さと幅を有する略長方形状をなし、関節部１５は、ケース１０の両側外側面の高さ方向、略中央位置に設けられている。そして、ケーブル保持体１は、複数のケース１０を、関節部１５を介して連結したときに連通される各ケース１０の空間１０ａにケーブル類２を収納し、これらケーブル類２の一方、又は他方が移動した場合にケーブル類２への外的負荷やケース１０内面との接触等による損傷からケーブル類２を保護する。
【００２３】
また、ケース１０内部の底面１１と連結片１３側には、ケーブル類２の長さ方向に回転する回転体２０が設けられる。
【００２４】
回転体２０は、その長さ方向に軸を有し、この軸を両側片１２ａ、１２ｂに掛け渡して、表面が回転可能に配置される。なお、図４に示すように、底面１１及び連結片１３の両側に支持体２１を立設し、この支持体２１に回転体２０の軸を掛け渡してもかまわない。
【００２５】
このような構成によれば、回転体２０をケース１０内の屈曲方向両端に設けることで収容体５の屈曲によるケース１０内面との接触によるケーブル類２の磨耗を防止できる。
【００２６】
また、ケーブル類２を複数収容した場合、左右方向にも移動するため、図４に示すように、回転体３０をケース１０内の左右両側に設けることでケース１０内面との接触によるケーブル類２の磨耗を完全に防止できる。具体的には、回転体３０は、ケース１０内の側片１２ａ、１２ｂ側に設けられ、ケーブル類２の長さ方向に回転する。
【００２７】
回転体３０は、その長さ方向に軸を有し、この軸を両側の各側片１２ａ、１２ｂの上下に内側に突出するようにして立設された支持体３１に掛け渡して配置される。
【００２８】
このような構成によれば、ケーブル類２がケース１０内を左右に移動しても、回転体３０がケーブル類２とともに回転し、摩擦を軽減するため、ケーブル類２のすれや接触による磨耗を防止することが可能となり長寿命化を図れる。
【００２９】
以上に説明したように、本実施形態のケーブル保持体１によれば、ケーブル保持体１の曲げ使用において、そのケース１０内に設けられた回転体２０、３０によってケーブル類２とケース１０内面との接触が防止される。従って、ケーブル保持体１を曲げ使用しても、ケーブル類２の耐久性が低下したり、断線したりすることがなく、信頼性に優れる。
【００３０】
なお、本発明は上記実施の形態に限定されるものではなく、本発明の要旨の範囲内で種々変更可能である。
【符号の説明】
【００３１】
１  ケーブル保持体
２  ケーブル類
５  収容体
１０  ケース
１０ａ  空間
２０、３０  回転体
【図１】
2014145399.tif 000003
【図２】
2014145399.tif 000004
【図３】
2014145399.tif 000005
【図４】
2014145399.tif 000006